(57)【要約】【課題】ケース１０内に有隔膜電解槽２３，２４および中和槽２５を収納してなる装置本体Ａを備え、余剰の電解生成酸性水を中和槽２５内に収容されている中和剤で中和処理して排水する電解水生成装置において、中和剤が所定の消費量に達したこと認知させて、中和剤の中和槽２５内への補充を促す。【解決手段】中和槽２５内に流入する電解生成酸性水の水量から中和槽２５内に収容されている中和剤の消費量を算出する機能と、中和剤が設定された消費量に達したこと認知させる認知手段（警告ランプＥ）を駆動する機能を有する制御装置５０を備え、制御装置５０は、算出される中和剤の消費量が設定された消費量に達した時点で認知手段を駆動（警告ランプＥの点滅）するようにした。【選択図】    図３
2010184224.tif 000002
【特許請求の範囲】
【請求項１】
ケース内に有隔膜電解槽および中和槽を収納してなる装置本体と、前記有隔膜電解槽にて生成される電解生成酸性水を貯溜する第１の貯溜タンクと、前記有隔膜電解槽にて生成される電解生成アルカリ性水を貯溜する第２の貯溜タンクを備え、前記第１の貯溜タンク内に貯溜されている電解生成酸性水を専用の注出管路を通して注出させるとともに、前記第２の貯溜タンク内に貯溜されている電解生成アルカリ性水を専用の注出管路を通して注出させ、かつ、余剰の電解生成酸性水を前記中和槽内に流入して同中和槽内に収容されている中和剤にて中和処理して排出管路を通して排出する電解水生成装置であり、当該電解水生成装置は、前記中和槽内に流入する電解生成酸性水の水量から同中和槽内に収容されている中和剤の消費量を算出する機能と、前記中和剤が設定された消費量に達したこと認知させる認知手段を駆動する機能を有する制御装置を備え、前記制御装置は、算出される中和剤の消費量が設定された消費量に達した時点で前記認知手段を駆動することを特徴とする電解水生成装置。
【請求項２】
請求項１に記載の電解水生成装置であり、当該電解水生成装置は、前記有隔膜電解槽の電解運転にて前記第１の貯溜タンク内に電解生成酸性水を導入するとともに、前記第２の貯溜タンク内に電解生成アルカリ性水を導入し、前記第１の貯溜タンク内に導入する電解生成酸性水が設定された量に達した後の設定された量を越える余剰の電解生成酸性水を前記中和槽内に流入して同中和槽内に収容されている中和剤にて中和処理して排出管路を通して排出するもので、前記制御装置は、前記中和槽内の中和剤が設定された消費量に達した時点で前記認知手段を駆動するとともに、前記中和剤が設定された消費量の限界に達した時点で前記有隔膜電解槽の電解運転を停止することを特徴とする電解水生成装置。
【請求項３】
請求項１または２に記載の電解水生成装置において、前記制御装置は、第１の貯溜タンク内が満水になった時点からの電解運転の継続時間と電解生成水の生成流量から前記第１の貯溜タンク内からオーバーフローして前記中和槽内に流入する余剰の電解生成酸性水の量を算出することを特徴とする電解水生成装置。
【発明の詳細な説明】
【技術分野】
【０００１】
本発明は、電解水生成装置に関する。
【背景技術】
【０００２】
電解水生成装置の一形式として、ケース内に有隔膜電解槽を収納してなる装置本体と、有隔膜電解槽にて生成される電解生成酸性水を貯溜する第１の貯溜タンクと、有隔膜電解槽にて生成される電解生成アルカリ性水を貯溜する第２の貯溜タンクを備え、第１の貯溜タンク内に貯溜されている電解生成酸性水を専用の注出管路を通して注出するとともに、第２の貯溜タンク内に貯溜されている電解生成アルカリ性水を専用の注出管路を通して注出する形式の電解水生成装置がある（特許文献１および特許文献２を参照）。
【０００３】
ところで、当該形式の電解水生成装置においては、第１の貯溜タンク内に貯溜する電解生成酸性水と第２の貯溜タンク内に貯溜されている電解生成アルカリ性水は同時にまたは互いに選択的に消費され、所定量消費された場合には、電解運転によって、有隔膜電解槽の陽極側電解室にて生成される電解生成酸性水を第１の貯溜タンク内に導入し、かつ、有隔膜電解槽の陰極側電解室にて生成される電解生成アルカリ性水を第２の貯溜タンク内に導入して、各貯溜タンク内を満水状態にする補充する手段が採られる。
【０００４】
しかしながら、当該電解水生成装置においては、電解生成酸性水と電解生成アルカリ性水の消費量がバランスよく消費されることはまれで、消費量が異なることはしばしば発生する。この場合には、各貯溜タンク内への各電解生成水の補充量も異なることになる。このため、電解生成水の消費量が多い方の貯溜タンク内を満水にしようとすると、有隔膜電解槽にて同期的に生成される他方の電解生成水が消費量の少ない方の貯溜タンク内に導入されることになり、導入された電解生成水は消費量の差だけ余剰となることから、これを排水しなければならない。
【０００５】
余剰の電解生成水が電解生成アルカリ性水である場合には、電解生成アルカリ性水の排水にはさほど問題はないが、余剰の電解生成水が電解生成酸性水である場合には、余剰の電解生成水を中和処理して排水しなければならない。通常、電解生成酸性水を排水する場合には、電解生成酸性水を寒水石等の中和剤を収容する中和槽に流入し、中和槽内に収容されている中和剤で中和処理して、塩素ガス等が発生しない中性の処理液として排水する手段が採られている。
【先行技術文献】
【特許文献】
【０００６】
【特許文献１】特開２０００−９５２２５号公報
【特許文献２】特開２００４−１０８３５６号公報
【発明の概要】
【発明が解決しようとする課題】
【０００７】
ところで、当該形式の電解水生成装置が装備する中和槽内の中和剤は、電解生成酸性水の中和処理量に応じて漸次消費されることから、中和剤が設定された消費量になった時点では、中和剤を中和槽内に補充する必要がある。当該形式の従来の電解水生成装置では、中和槽は装置本体を構成するケースの外にあって、各貯溜タンクや装置本体とは別置きになっている。このため、当該電解水生成装置の管理者は、別置き状態の中和槽内を中和剤を容易に視認することができて、中和剤の補充のタイミングを確認することができた。
【０００８】
しかしながら、当該形式の電解水生成装置においては、その外観上、および、専用の設置場所の確保上から、装置本体を構成するケース内に中和槽を収納する要請がり、中和槽をケース内に配置して収納すると、装置本体を構成する他の構成部品や各水系管路の配置関係から、ケース内に収納した中和槽の内部を視認することは困難になる。特に、装置本体を構成するケースは、通常、開閉扉で閉鎖されていることから、中和槽の内部を視認するには、少なくとも開閉扉を開かねばならず、また、中和槽の配置位置の関係から、開閉扉を開いてもそのままでは中和槽の内部を視認することができない場合もある。本発明はかかる問題に対処することにある。
【課題を解決するための手段】
【０００９】
本発明は、電解水生成装置に関する。本発明が適用対象とする電解水生成装置は、ケース内に有隔膜電解槽および中和槽を収納してなる装置本体と、前記有隔膜電解槽にて生成される電解生成酸性水を貯溜する第１の貯溜タンクと、前記有隔膜電解槽にて生成される電解生成アルカリ性水を貯溜する第２の貯溜タンクを備え、前記第１の貯溜タンク内に貯溜されている電解生成酸性水を専用の注出管路を通して注出するとともに、前記第２の貯溜タンク内に貯溜されている電解生成アルカリ性水を専用の注出管路を通して注出し、かつ、余剰の電解生成酸性水を前記中和槽内に流入して同中和槽内に収容されている中和剤にて中和処理しては排出管路を通して排出する形式の電解水生成装置である。
【００１０】
しかして、本発明に係る当該電解水生成装置は、前記中和槽内に流入する電解生成酸性水の水量から同中和槽内に収容されている中和剤の消費量を算出する機能と、前記中和剤が設定された消費量に達したこと認知させる認知手段を駆動する機能を有する制御装置を備え、前記制御装置は、算出される中和剤の消費量が設定された消費量に達した時点で前記認知手段を駆動することを特徴とするものである。
【００１１】
また、本発明に係る電解水生成装置は、前記有隔膜電解槽の電解運転にて前記第１の貯溜タンク内に電解生成酸性水を導入するとともに、前記第２の貯溜タンク内に電解生成アルカリ性水を導入し、前記第１の貯溜タンク内に導入する電解生成酸性水が設定された量に達した後の設定された量を越える余剰の電解生成酸性水を前記中和槽内に流入して同中和槽内に収容されている中和剤にて中和処理して排出管路を通して排出するもので、前記制御装置は、前記中和槽内の中和剤が設定された消費量に達した時点で前記認知手段を駆動するとともに、前記中和剤が設定された消費量の限界に達した時点で前記有隔膜電解槽の電解運転を停止することを特徴とするものである。
【００１２】
なお、本発明に係る電解水生成装置においては、前記制御装置を、第１の貯溜タンク内が満水になった時点からの電解運転の継続時間と電解生成水の生成流量から前記第１の貯溜タンク内からオーバーフローして前記中和槽内に流入する余剰の電解生成酸性水の量を算出するように構成することができる。
【発明の効果】
【００１３】
本発明に係る電解水生成装置においては、中和槽が装置本体を構成するケース内に設置されて収納されているにも関わらず、制御装置が中和槽内の中和剤の消費量が設定された消費量に達したことを、認知手段を介して当該電解水生成装置の管理者に認知させる。このため、当該管理者は当該認知手段により中和剤の補充タイミングを的確に認知して中和剤を補充し、中和槽内の中和剤が存在しない状態での電解運転を回避することができる。
【００１４】
また、本発明に係る電解水生成装置において、中和剤が設定された消費量の限界に達したときに有隔膜電解槽の電解運転を停止する機能を有する制御装置を採用している場合には、当該管理者が認知手段による認知を確認できず、または、認知手段による認知を確認したにも関わらす、中和剤を補充しなかった場合等の電解運転の緊急時には、制御装置は緊急時の手段として電解運転を停止させる。このため、中和槽内の中和剤が存在しない状態での電解運転を回避することができる。
【図面の簡単な説明】
【００１５】
【図１】電解水生成装置の正面図である。
【図２】同電解水生成装置の左側の側面図（ａ）および右側の側面図（ｂ）である。
【図３】同電解水生成装置の構成を示す概略構成図である。
【図４】同電解水生成装置が装備する制御装置を示すブロック図である。
【発明を実施するための形態】
【００１６】
本発明は、電解水生成装置に関する。図１〜図３には、本発明に係る電解水生成装置の一実施形態を示している。当該電解水生成装置は、装置の構成部品を収納されている装置本体Ａと、電解生成酸性水を貯溜する第１の貯溜タンクＢと、電解生成アルカリ性水を貯溜する第２の貯溜タンクＣを備えている。装置本体Ａは、装置の主たる構成部品をケース１０内に配置して収納されているもので、支持台Ｄの中央部に設置されて取付けられている。また、第１の貯溜タンクＢは支持台Ｄにおける装置本体Ａの右側に設置されて取付けられ、第２の貯溜タンクＣは支持台Ｄにおける装置本体Ａの左側に設置されて取付けられている。
【００１７】
装置本体Ａを構成するケース１０は、左右の側部、後側部および上側部が閉鎖状態にあるケース本体１１と、ケース本体１１の前側開口部を開閉する開閉扉１２からなり、ケース本体１１内には、図３に示すように、軟水器２１、塩水タンク２２、一対の電解槽２３，２４、および、中和槽２５が配置されて収納されていて、これらの各構成部品は水系管路によって適宜接続されている。
【００１８】
装置本体Ａの主たる構成部品である各電解槽２３，２４は有隔膜電解槽であって、槽本体は隔膜にて区画された一対の電解室を備えている。各電解室は、電解運転が所定時間経過した時点で、その極性を正負反転するように制御され、陽極側電解室が陰極側電解室に切換えられるとともに、陰極側電解室が陽極側電解室に切換えられるように構成されている。
【００１９】
電解槽２３，２４を構成する各電解室の上流側には、被電解水の供給管路３１ａ，３１ｂが接続されており、各電解室の下流側には、各電解室にて生成される電解生成水を流出する流出管路３２ａ，３２ｂ、３３ａ，３３ｂがそれぞれ接続されている。各流出管路３２ａ，３２ｂは切換弁４１ａを介して導入管路３２ｃ，３２ｄに接続されており、各流出管路３３ａ，３３ｂは切換弁４１ｂを介して導入管路３３ｃ，３３ｄにそれぞれ接続されている。
【００２０】
電解槽２３側に接続されている導入管路３２ｃは、第１の貯溜タンクＢの側部上方に接続されていて、導入管路３２ｃには、電解槽２４側に接続されている導入管路３３ｃが接続されている。また、電解槽２３側に接続されている導入管路３２ｄは、第２電解生成水槽２４側に接続されている導入管路３３ｄに接続されていて、導入管路３３ｄは第２の貯溜タンクＣの側部上方に接続されている。
【００２１】
電解槽２３側の導入管路３２ｃは、電解生成酸性水の専用の導入管路であって、各電解槽２３，２４の陽極側電解室にて生成される電解生成酸性水を、第１の貯溜タンクＢ内に導入すべく機能する。また、電解槽２４側の導入管路３３ｄは、電解生成アルカリ性水の専用の導入管路であって、各電解槽２３，２４の陰極側電解室にて生成される電解生成アルカリ性水を、第２の貯溜タンクＣ内に導入すべく機能する。
【００２２】
各電解槽２３，２４においては、電解運転時、電解運転が設定された所定の時間継続された時点で、各電解室の極性が正負逆に反転される制御がなされるが、これと同期して、各切換弁４１ａ，４１ｂが切換動作して、電解槽２３側の各流出管路３２ａ，３２ｂと各導入管路３２ｃ，３２ｄとの接続関係が変更されるとともに、電解槽２４側の各流出管路３３ａ，３３ｂと各導入管路３３ｃ，３３ｄとの接続関係が変更される。
【００２３】
これにより、各電解槽２３，２４の各陽極側電解室にて生成される電解生成酸性水は、常に、導入管路３２ｃを通って第１の貯溜タンクB内に導入され、また、各電解槽２３，２４の各陰極側電解室にて生成される電解生成アルカリ性水は、常に、導入管路３３ｄを通って第２の貯溜タンクＣ内に導入されることになる。
【００２４】
各電解槽２３，２４に供給される被電解水は、軟水器２１を通って軟水化された原水に塩水タンク２２から設定された量の塩水を、パルスポンプ４２ａにより供給することにより調製される。水道管等の給水源に接続されている給水管路３４には、減圧弁４３ａおよび軟水器２１が介装されていて、給水管路３４の分岐管路部が塩水タンク２２に接続されている。分岐管路部には、開閉弁４３ｂが介装されている。また、塩水タンク２２は、塩水供給管路３５を介して給水管路３４の途中に接続されていて、塩水供給管路３４にはパルスポンプ４２ａが介装されている。
【００２５】
当該水系回路においては、給水管路３４には軟水化された原水が設定された所定の流量で流動し、流動する原水に塩水タンク２２にて調製された所定の高濃度の塩水がパルスポンプ４２ａにて設定された所定量継続して供給される。これにより、給水管路３４内にて被電解水（設定された所定濃度の希薄塩水）が調製され、調製された被電解水は、被電解水の供給管路３１ａ，３１ｂを通って各電解槽２３，２４に供給される。各電解槽２３，２４に供給された被電解水は、各電解槽２３，２４を流動する間に、各電解槽２３，２４の電解室内にて有隔膜電解される。
【００２６】
なお、当該電解水生成装置においては、各電解槽２３，２４を同時に電解運転することができるとともに、各電解槽２３，２４のいずれか一方を選択して電解運転することができる。このため、被電解水の供給管路３１ａ，３１ｂには、開閉弁４３ｃ，４３ｄがそれぞれ介装されていて、各電解槽２３，２４を同時に電解に供する場合には、各開閉弁４３ｃ，４３ｄを開いた状態として、各電解槽２３，２４に被電解水を同時に供給し得るようにする。また、各電解槽２３，２４のいずれか一方の電解槽を電解に供する場合には、各開閉弁４３ｃ，４３ｄのいずれか一方の開閉弁を開いた状態として、一方の電解槽にのみ被電解水を供給し得るようにする。
【００２７】
当該電解水生成装置が有する中和槽２５は、寒水石等の中和剤を収容されているもので、余剰の電解生成酸性水を中和処理して、塩素ガスが発生しない中性の処理液として排水すべく機能する。中和槽２５には、各貯溜タンクＢ，Ｃが有するオーバーフローパイプＢ1，Ｃ1に接続する流出管路３６ａ，３６ｂが接続されている。これにより、第１の貯溜タンクＢ内にてオーバーフローパイプＢ1を通ってオーバーフローする電解生成酸性水は流出管路３６ａを通って中和槽２５内に流入し、中和槽２５内の中和剤にて中和処理されて、中性の処理液として排水管路３６ｃを通って排水される。
【００２８】
また、第２の貯溜タンクＣ内にて、オーバーフローパイプＣ1を通ってオーバーフローする電解生成アルカリ性水は、流出管路３６ｂを通って中和槽２５内に流入するが、中和槽２５内では中和剤と反応することなく、そのままの状態で排水管路３６ｃを通って排水されることになる。
【００２９】
当該電解水生成装置においては、第１の貯溜タンクＢ内に貯溜されている電解生成酸性水は第１注出管路３７ａを通して注出されて、消費者に供される。また、第２の貯溜タンクＣ内に貯溜されている電解生成アルカリ性水は第２注出管路３７ｂを通して注出されて、消費者に供される。
【００３０】
第１注出管路３７ａは、第１の貯溜タンクＢの下方の前側部にて接続されていて、ケース本体１１の下方の前側部に沿って延びてケース本体１１の下方の前側部を貫通し、ケース本体１１の底部に沿って後方に延び、後方にて、ケース本体１１内を上方に延びてケース本体１１の上方の右側部に設けた吐出口部１１ａに接続されている。吐出口部１１ａには、当該電解水生成装置の設置時に、図示しない第２の注出管路が接続される。当該第２の注出管路は、消費者が使用する場所に延びていて、当該場所にて電解生成酸性水を注出する。
【００３１】
一方、第２注出管路３７ｂは、第２の貯溜タンクＣの下方の前側部に接続されていて、ケース本体１１の下方の前側部に沿って延びてケース本体１１の下方の前側部を貫通し、ケース本体１１の底部に沿って後方に延び、後方にて、ケース本体１１内を上方に延びてケース本体１１の上方の左側部に設けた吐出口部１１ｂに接続されている。吐出口部１１ｂには、当該電解水生成装置の設置時に、図示しない第２の注出管路が接続される。当該第２の注出管路は、消費者が使用する場所に延びていて、当該場所にて電解生成アルカリ性水を注出する。
【００３２】
なお、ケース本体１１の上方の右側部には通気口部１１ｃが設けられている。通気口部１１ｃには、電解生成酸性水の導入管路３２ｃに接続されている図示しない排気管路が接続されていて、導入管路３２ｃで発生するガスを排気すべく機能する。また、ケース本体１１の上方の左側部には通気口部１１ｄ，１１ｅが設けられている。通気口部１１ｄには、電解生成アルカリ性水の導入管路３３ｄに接続されている図示しない排気管路が接続されていて、導入管路３３ｄで発生するガスを排気すべく機能する。また、通気口部１１ｅには、中和槽２５の上方部に接続されている図示しない排気管路が接続されていて、中和槽２５で発生するガスを排気すべく機能する。
【００３３】
しかして、第１注出管路３７ａには、注出ポンプ４２ｂと開閉弁４３ｅが介装されており、また、第２注出管路３７ｂには、注出ポンプ４２ｃと開閉弁４３ｆが介装されている。当該電解水生成装置においては、第１注出管路３７ａの開閉弁４３ｅを開いた状態で、注出ポンプ４２ｂを駆動すれば、第１の貯溜タンクＢ内に貯溜する電解生成酸性水が第１注出管路３７ａを通して注出されて消費者に供される。また、第２注出管路３７ｂの開閉弁４３ｆを開いた状態で、注出ポンプ４２ｃを駆動すれば、第２の貯溜タンクＣ内に貯溜する電解生成アルカリ性水が第２注出管路３７ｂを通して注出されて消費者に供される。
【００３４】
当該電解水生成装置においては、各注出ポンプ４２ｃ，４２ｄは、第１注出管路３７ａ，３７ｂにおけるケース本体１１内の部位に介装されており、各開閉弁４３ｅ，４３ｆは、各注出管路３７ａ，３７ｂにおけるケース本体１１の下方の前側部に沿って延びる部位の中間部に介装されている。各開閉弁４３ｅ，４３ｆは、レバーの回動操作により開閉するレバー回動式の開閉弁であって、レバーが管路部の頂部に位置するように介装されている。
【００３５】
このため、開閉弁４３ｅ，４３ｆのレバーを管路部の頂部にて水平に回動操作すれば、開閉弁４３ｅ，４３ｆを開閉することができる。当該電解水生成装置では、当該レバーが管路部に沿う平行位置にある状態が開閉弁４３ｅ，４３ｆが開いている状態に設定されていて、当該レバーを回動して管路部に対して略直交する交差状態にした状態で開閉弁４３ｅ，４３ｆが閉じるようになっている。ケース本体１１における下方の前側部には、アンダカバー１３が嵌合して脱着可能に取付けられている。
【００３６】
アンダカバー１３は、各注出管路３７ａ，３７ｂにおけるケース本体１１の下方の前側部に露呈している管路部、および、同管路部に介装されている開閉弁４３ｅ，４３ｆをカバーして保護すべく機能するとともに、当該電解水生成装置の外観を向上すべく機能する。アンダカバー１３は脱着容易であって、開閉弁４３ｅ，４３ｆはアンダカバー１３を取外した状態で開閉操作でき、開閉弁４３ｅ，４３ｆが閉じた状態では、レバーが管路部に対して略直交状に前方に突出していることから、アンダカバー１３をケース本体１１に取付けることができない。アンダカバー１３をケース本体１１に取付けるには、レバーを回動操作して管路部に対して平行にした開閉弁４３ｅ，４３ｆが開いた状態にする必要がある。
【００３７】
当該電解水生成装置は制御装置５０を装備し、制御装置５０は当該電解水生成装置の電解運転、各貯溜タンクＢ，Ｃ内への各電解生成水の導入、各貯溜タンクＢ，Ｃからの各電解生成水の注出、および、中和槽２５における中和処理を制御する。図４には、当該制御装置５０の制御回路を概略的に示している。
【００３８】
制御装置５０はマイクロコンピュータであって、ＣＰＵおよび駆動回路を備えている。制御装置５０は、電解運転時には、パルスポンプ４２ａを駆動して給水管路３４内を流動する軟水化された原水に設定された濃度の塩水を設定された量だけ継続して供給して、設定された濃度の希薄塩水（被電解水）を調製する。また、制御装置５０は、電解運転時、運転者の電解モードの選択の指令に基づき開閉弁４３ｃ，４３ｄを開閉動作して、各電解槽２３，２４の同時の電解運転と、各電解槽２３，２４のいずれか一方の電解運転との電解モードを選択する。
【００３９】
制御装置５０は、電解運転時、電解槽２３，２４の各電解室の極性の正負反転の指令に基づき、各電解室のうち、陽極側電解室を陰極側電解室に、陰極側電解室を陽極側電解室に変更し、これに同期して、切換弁４１ａ，４１ｂを切換動作させる。これにより、制御装置５０は、電解槽２３，２４の陽極側電解室にて生成された電解生成酸性水を、常に導入管路３２ｃを通して第１の貯溜タンクＢ内に導入させ、また、電解槽２３，２４の陰極側電解室にて生成された電解生成アルカリ性水を、常に導入管路３３ｄを通して第２の貯溜タンクＣ内に導入させる。
【００４０】
各貯溜タンクＢ，Ｃ内にはフロートスイッチＢ2，Ｃ2が配設されていて、オーバーフローパイプＢ1，Ｃ1と共働して、各貯溜タンクＢ，Ｃ内の電解生成水を設定された一定量に維持する。電解生成酸性水と電解生成アルカリ性水は、電解運転時には同期的に生成されて、各貯溜タンクＢ，Ｃ内には略同量導入される。制御装置５０は、各貯溜タンクＢ，Ｃ内に貯溜された各電解生成水が同量となって、両フロートスイッチＢ2，Ｃ2が満タンに達したことを検知した場合には、電解槽２３，２４の電解運転を停止する。また、制御装置５０は、各貯溜タンクＢ，Ｃの少なくとも一方の貯溜タンク内の電解生成水が設定された所定量消費された場合、これを検知したフロートスイッチの検出信号に基づき電解運転を再開して、両貯溜タンクＢ，Ｃ内に各電解生成水を導入して補充する。
【００４１】
制御装置５０は、消費者による電解生成水の注出指令に基づき、消費者が選択した電解生成水側の注出ポンプを駆動して選択された電解生成水を専用の注出管路を通して注出させる。制御装置５０は、消費者が電解生成酸性水を選択した場合には、第１の貯溜タンクＢ内の電解生成酸性水を注出管路３７ａを通して注出し、また、消費者が電解生成アルカリ性水を選択した場合には、第２の貯溜タンクＣ内の電解生成アルカリ性水を注出管路３７ｂを通して注出する。電解生成水の注出については、所定時間経過した時点で自動的に停止させることができるとともに、消費者の手動による停止操作によっても停止させることができる。
【００４２】
ところで、当該電解水生成装置においては、第１の貯溜タンクＢ内に貯溜されている電解生成酸性水の消費量と、第２の貯溜タンクＣ内に貯溜されている電解生成アルカリ性水の消費量とに差が生じて、両貯溜タンクＢ，Ｃの一方のみの電解生成水が設定された所定の消費量に達する場合がある。本発明では、当該貯溜タンクを便宜上空タン状態にある貯溜タンクと称する。この場合には、空タン状態になったことをフロートスイッチが検出すると、制御装置５０はその検出信号に基づき電解運転を開始して、両貯溜タンクＢ，Ｃ内に各電解生成水を導入する。
【００４３】
このため、各貯溜タンクＢ，Ｃ内には各電解生成水が導入されて貯溜タンクＢ，Ｃ内が満タン状態となるが、空タンク状態を呈していなかった貯溜タンクの方が空タンク状態を呈していた貯溜タンクよりも先に満タン状態となる。この結果、先に満タン状態となった貯溜タンクからは、その後に導入される電解生成水に応じて、余剰の電解生成水がオーバーフローパイプからオーバーフローして排水管路を通して中和槽２５内に流入することになる。
【００４４】
例えば、第１の貯溜タンクＢ内が早く満タン状態となった場合には、第１の貯溜タンクＢ内の電解生成酸性水が排水管路３６ａを通して中和槽２５内に流入し、中和槽２５内に収容されている寒水石等の中和剤にて中和処理されて、中性の処理液として排水管路３６ｃを通して排水される。また、第２の貯溜タンクＣ内が早く満タン状態となった場合には、第２の貯溜タンクＣ内の電解生成アルカリ性水が排水管路３６ｂを通して中和槽２５内に流入し、中和槽２５内では何等処理されることなく、そのまま排水管路３６ｃを通して排水される。
【００４５】
従って、電解生成酸性水が第１の貯溜タンクＢ内から流入して中和槽２５内に流入する場合には、中和槽２５内に収容されている中和剤は、第１の貯溜タンクＢ内から流入する電解生成酸性水の量に応じて消費されることになり、中和剤が所定量消費された時点では、中和剤を中和槽２５内に補充する必要がある。しかしながら、当該電解水生成装置においては、中和槽２５が開閉扉１２に閉鎖されているケース本体１１内に配設されていることから、中和槽２５内の中和剤の量を外部から視認することは困難であり、中和剤の補充タイミングを失することが起こり得る。
【００４６】
本発明はかかる問題に対処するもので、本発明では、当該電解水生成装置が装備する制御装置５０を、中和剤の消費量を中和槽２５内に流入された電解生成酸性水の量から算出する機能と、中和剤が設定量消費されたことを認知させる認知手段を駆動する機能を有する構成としている。さらには、本発明では、当該電解水生成装置が装備する制御装置５０を、中和槽２５内の中和剤が設定量消費されたことを認知させる認知手段を駆動し、かつ、中和剤が設定された消費量限界に達したときには有隔膜電解槽２３，２４の電解運転を停止する機能を有する構成としている。
【００４７】
本実施形態では、制御装置５０は、第１の貯溜タンクＢ内が満水になったことを検出したフロートスイッチＢ2からの検出信号に基づき、満水時点からの電解運転の継続時間と電解生成水の設定された時間当たりの生成流量から中和槽２５内に流入した余剰の電解生成酸性水の水量を算出するとともに、余剰の電解生成酸性水量から中和槽２５内の中和剤の消費量を算出する。刻々算出される中和剤の消費量（例えば電解生成酸性水１０００Ｌ当たり寒水石３００ｇ減少）が設定された消費量（例えば電解生成酸性水１４０００Ｌ通過し寒水石４，２ｋｇ消費）に達した時点で、制御装置５０は操作盤に設置されている認知手段、例えば警告ランプＥを点滅して、当該電解水生成装置の管理者に、中和剤を補充すべきタイミングを認知させる。
【００４８】
このため、当該管理者は、警告ランプＥの点滅により中和剤の補充タイミングを認知して、中和槽２５に所定量の中和剤を補充するとともに、リセットボタンを押し記憶されている現在の中和剤の消費量を０にする。これにより、中和槽２５内に中和剤が存在しない状態での電解運転を回避することができる。なお、本実施形態では、認知手段として警告ランプＥを使用しているが、認知手段としては公知の適宜の警告手段を採ることができ、例えば、警告ブザー等は認知手段としては極めて有効である。
【００４９】
また、当該管理者が警告ランプＥの点滅に気付かず、または、警告ランプＥの点滅を認知したにも関わらず中和剤の補充を忘れる場合があり、この場合には、制御装置５０は以下のように機能する。制御装置５０は、中和槽２５内の中和剤が設定された所定の消費量（例えば電解生成酸性水２００００Ｌ通過し寒水石６ｋｇ消費）に達して、中和剤が消費量限界に達したときには、有隔膜電解槽２３，２４の電解運転を緊急停止させるとともに、警告ランプＥの点滅速度を高めて、管理者にその旨を認知させ易くする。これにより、中和槽２５内に中和剤が存在しない状態での電解運転を確実に回避することができる。
【符号の説明】
【００５０】
Ａ…装置本体、Ｂ…第１の貯溜タンク、Ｃ…第２の貯溜タンク、Ｂ1，Ｃ1…オーバーフローパイプ、Ｂ2，Ｃ2…フロートスイッチ、Ｄ…支持台、Ｅ…警告ランプ、１０…ケース、１１…ケース本体、１１ａ，１１ｂ…吐出口部、１１ｃ，１１ｄ，１１ｅ…通気口部、１２…開閉扉、１３…アンダカバー、２１…軟水器、２２…塩水タンク、２３，２４…電解槽、２５…中和槽、３１ａ，３１ｂ…被電解水の供給管路、３２ａ，３２ｂ，３３ａ，３３ｂ…電解生成水の流出管路、３２ｃ，３２ｄ，３３ｃ，３３ｄ…導入管路、３４…給水管路、３５…塩水供給管路、３６ａ，３６ｂ…排水管路、３７ａ…第１注出管路、３７ｂ…第２注出管路、４１ａ，４１ｂ…切換弁、４２ａ…パルスポンプ、４２ｂ，４２ｃ…注出ポンプ、４３ａ…減圧弁、４３ｂ，４３ｃ，４３ｄ…開閉弁、開閉弁４３ｅ，４３ｆ…開閉弁、５０…制御装置。
【図１】
2010184224.tif 000003
【図２】
2010184224.tif 000004
【図３】
2010184224.tif 000005
【図４】
2010184224.tif 000006